(57)【要約】  身体着用式の椅子装置が開示されている。開示された椅子装置は、着用者の脚とヒップが挿入されているズボン部と、前記ズボン部の一側に配置され、着用者の移動の際に前記のズボン部に結合されて一緒に移動され、ユーザーの着席を可能にする、着用者のヒップを地面に対して支持する椅子部を含み、前記椅子部は、着席時前記のヒップが定着されているヒップの支持板と、前記のヒップ支持板から下方に延長形成されて、着用者の両方の脚に結合される一対の上部レッグおよび下部レッグと、前記のヒップ支持板に対して前記上部レッグが回動可能に支持する第1関節と、前記上部レッグに対して前記下部レッグを回動可能に支持する第2関節を含み、前記上部レッグの下端部と前記下部レッグの上端部には、前記第2関節を中心に互いに回動され、互いに接触し支持されて、着用者の着席ができるように着用者の荷重を支持する上部斜面と下部斜面がそれぞれ形成されることを特徴とする。【選択図】図１
2016525386.tif 000002
【特許請求の範囲】
【請求項１】
着用者の脚とヒップが挿入されているズボン部と、前記ズボン部の一側に配置され、着用者の移動の際に前記のズボン部に結合されて一緒に移動され、ユーザーの着席を可能にする、着用者のヒップを地面に対して支持する椅子部を含めて、前記椅子部は、着席時前記のヒップが安着されるヒップ支持板と、前記ヒップ支持板から下方に延長形成されて、着用者の両方の脚に結合される一対の上部レッグおよび下部レッグと、前記ヒップ支持板に対して前記上部レッグが回動可能に支持する第1関節と、前記上部レッグに対して前記下部レッグを回動可能に支持する第2関節を含み、前記上部レッグの下端部と前記下部レッグの上端部には、前記第2関節を中心に互いに回動され、互いに接触し支持されて着用者の着席が可能なように、着用者の荷重を支持する上部斜面と下部斜面がそれぞれ形成されることを特徴とする椅子装置。
【請求項２】
請求項１において、
前記椅子部は、前記ズボン部の内部に一体的に結合され、前記ズボン部の内部には、前記椅子部に収容される空間と着用者の体が収容される空間を区分し、内部に前記椅子部収容する椅子収容付加具備されることを特徴とする椅子装置。
【請求項３】
請求項１において、
前記椅子部は、前記ズボン部の外部に配置され、前記上部レッグと前記下部レッグを前記ズボンの部の脚挿入部に固定する固定部材をさらに含むことを特徴とする椅子装置。
【請求項４】
請求項１ないし３のいずれか一項において、
前記第2関節は、着用者の膝の裏側に位置するように備えられ、前記第2関節の前面には、クッション部材が備えられることを特徴とする椅子装置。
【請求項５】
内部に保管空間が形成されており、着席時のユーザーのヒップに包ま固定されているボディ部と、前記ボディ部から延長形成されて前記ボディ部を前記ヒップに固定させる一対の固定帯構成されたヒップ固定部と、前記ヒップ固定部と分離可能に結合固定され、ユーザーの着席を可能にする、前記ボディ部を地面に対して支持する支持部と、前記支持部をユーザーのふくらはぎに固定させる脚固定部を含み、前記支持部は、前記ボディ部に分離可能に結合される結合板と、前記結合板から下方に延長形成されて、ユーザーの両方の脚に結合されている一対の上部レッグおよび下部レッグ、前記上部レッグに対して前記下部レッグを回動可能に支持する第1関節と、前記結合板に対して前記上部レッグが回動可能に支持する第2関節を含み、前記結合板、前記上部レッグと、前記下部レッグは、前記第1関節と第2関節によって折り畳み可能に構成されるが、前記着用者の着席が可能なように所定の角度で折れている形態を維持することができることを特徴とする椅子装置。
【請求項６】
請求項５において、
前記保管スペースは、前記支持部と前記固定部材を収容可能な大きさに形成されて、前記保管スペースに、前記支持部と前記固定部材を入れた状態で、前記固定帯を介して前記ボディ部をユーザーの身体に固定させることによって、保管や携帯が可能であることを特徴とする椅子装置。
【請求項７】
請求項５において、
前記ヒップ固定部は、前記ボディ部の内部に設置され、前記結合板を前記ボディ部に分離可能に結合させる固定装着部をさらに含むことを特徴とする椅子装置。
【請求項８】
請求項７において、
前記固定装着部は、前記ボディ部内面に固定設置されており、前記結合板挿入されて安着されるソケット部と、前記ソケット部から延長形成され、前記ソケット部の開放部を覆うカバーと、前記カバーと前記ソケット部にそれぞれ設置されて、前記ソケット部に挿入された前記結合板、前記ソケット部から外れないように、前記カバーを前記ソケット部に固定させる締結部材を含むことを特徴とする椅子装置。
【請求項９】
請求項５において、
前記脚固定部は、ゲートル形で形成されて、ふくらはぎを包み定めるバンドと、前記バンドの一側に上下方向に設置されており、前記下部レッグが挟まれるチューブを含むことを特徴とする椅子装置。
【請求項１０】
請求項９において、
前記脚固定部は、前記バンドをユーザーが着用した靴に固定させて前記バンドの動きを防止するバンド固定手段をさらに含むことを特徴とする椅子装置。
【請求項１１】
請求項９において、
前記脚固定部は、前記バンドに着脱可能に結合されているバンドの固定手段が一体に設置された専用の靴をさらに含むことを特徴とする椅子装置。
【請求項１２】
請求項５において、
前記ヒップ固定部は、前記ボディ部の一側に形成され、ユーザーの太ももを包み、前記ボディ部を固定させる補助固定帯をさらに含むことを特徴とする椅子装置。
【請求項１３】
請求項５において、
前記第1関節は、ユーザーの膝の裏側に位置するように備えられることを特徴とする椅子装置。
【請求項１４】
ヒップに固定されるように着用可能なヒップ固定部、前記のヒップ固定部との結合固定されており、ユーザーの着席を可能にする前記のヒップ固定部を地面に対して支持する支持部と、前記支持部の下部をユーザーのふくらはぎに着用させる脚固定部を含み、前記支持部は、前記のヒップ固定部に結合される結合板と、前記結合板から下方に延長形成されて、ユーザーの両方の脚に結合されている一対の上部レッグおよび下部レッグ、前記上部レッグに対して前記下部レッグを回動可能に支持する第1関節と、前記結合板に対して前記上部レッグが回動可能に支持する第2関節を含み、前記結合板、前記上部レッグと、前記下部レッグは、前記第1関節と第2関節によって折り畳み可能に構成されるが、前記着用者の着席が可能なように所定の角度で折れている形態を維持できるように構成されていることを特徴とする椅子装置。
【発明の詳細な説明】
【技術分野】
【０００１】
本発明は、身体に着用して使用する椅子装置に関するものである。より詳細には、身体に着用した状態で容易に着席することができる椅子装置に関するものである。
【背景技術】
【０００２】
美術館、博物館のようなところで作品を鑑賞する来場者は作品を鑑賞するために、長時間たところでできるようになる。これにより、作品観覧時体力的な負担が多くなる。また、古宮や博覧会などでも長時間の移動になるので、体力的な負担を持つようになる。
これらの体力的負担は野球の試合、バスケットボールの試合などの運動競技に座席がない立席で観覧時や、バス、電車や地下鉄などの交通手段を利用する際の座席がない場合は、さらに加重することができる。
この時、美術館、博物館、古宮のような公共の場では、多くの人員の観覧動線を考えて休憩のための椅子を備えることが容易ではない。
一方、マート販売元、ホテル従事者、洗濯、美容師、組立生産ライン勤務者、教師、駐車場案内員、バリスタ、ジュユウォンなどの立って働く労働者は、業務の特性上、周辺に設置されて椅子に移動して着席して休むことが難しいので、長時間立ったまま作業することにより、血液循環が円滑でない疲労度が高いだけでなく、ひどい場合、腰、足、足の痛みや脳卒中、心筋梗塞、下肢静脈瘤などの心血管疾患にさらされている問題があった。
このような従来の問題を解決するために、携帯が容易な形態の椅子の開発が要求されており、大韓民国公開実用第20-2012-000140号 「携帯に便利な杖兼用椅子」と大韓民国登録実用第20-0336096号「移動作業のための携帯椅子」が公開されている。
しかし、このような従来公開された椅子は、携帯が容易なように開発された、作業者が手で携帯しなければならないので移動時に不便であり、外部に露出されて審美感が低下する問題がある。
【発明の概要】
【発明が解決しようとする課題】
【０００３】
本発明は、前記のような従来の問題点を解決しようと創案されたものであって、身体に容易に着用することが可能な椅子装置を提供することに目的がある。
また、本発明は、ズボンに椅子を結合させてズボンを着用した状態で椅子も一体に一緒に移動することができ、場所や時間に関係なく、簡単に着席することができる椅子装置を提供することに目的がある。
また、本発明は、保管や携帯が容易なだけでなく、必要に応じて簡単に身体に着用して簡単に着席することができる保管および携帯が容易な身体着用式の椅子装置を提供することに目的がある。
【課題を解決するための手段】
【０００４】
前記した目的を達成するために、本発明の椅子装置は、着用者の足とヒップが挿入されているズボン部と、前記ズボン部の一側に配置され、着用者の移動の際に前記のズボン部に結合されて一緒に移動され、ユーザーの着席を可能にする、着用者の尻を地面に対して支持する椅子部を含み、前記椅子部は、着席時前記のヒップが定着されているヒップの支持板と、前記のヒップ支持板から下方に延長形成されて、着用者の両方の足に結合される一対の上部レッグおよび下部レッグと、前記のヒップ支持板に対して前記上部レッグが回動可能に支持する第1関節と、前記上部レッグに対して前記下部レッグを回動可能に支持する第2関節を含み、前記上部レッグの下端部と前記下部レッグの上端部には、前記第2の関節を中心に互いに回動され、互いに接触し支持されて、着用者の着席ができるように着用者の荷重を支持する上部斜面と下部斜面がそれぞれ形成されることを特徴とする。
【０００５】
前記椅子部は、前記ズボン部の内部に一体的に結合され、前記ズボン部の内部には、前記椅子部に収容される空間と着用者の体が収容される空間を区分し、内部に前記椅子部を収容する椅子収容部を具備するように構成することができる。
前記椅子部は、前記ズボン部の外部に配置され、前記上部レッグと前記下部レッグを前記ズボンの部の脚挿入部に固定する固定部材をさらに含むように構成することができる。
前記第2の関節は、着用者の膝の裏側に位置するように備えられ、前記第2の関節の前面には、クッション部材が備えられるように構成することができる。
【０００６】
一方、本発明の目的を達成するための椅子装置は、内部に保管空間が形成されており、着席時のユーザーのヒップに包ま固定されているボディ部と、前記ボディ部から延長形成されて前記ボディ部を前記ヒップに固定させる一対の固定帯構成されたヒップ固定部、前記ヒップ固定部と分離可能に結合固定され、ユーザーの着席を可能にする、前記ボディ部を地面に対して支持する支持部と、前記支持部をユーザーのふくらはぎに固定させる脚支持部を含み、前記支持部は、前記ボディ部に取り外し可能に結合される結合板と、前記結合板から下方に延長形成されて、ユーザーの両方の脚に結合される一対の上部レッグおよび下部レッグ、前記上部レッグに対して前記下部レッグを回動可能に支持する第1関節と、前記結合板に対して前記上部レッグが回動可能に支持する第2関節を含み、前記結合板、前記上部レッグと前記下部レッグは、前記第1関節と第2関節によって折り畳み可能に構成されるが、前記着用者の着席が可能なように所定の角度で折れている形態を維持することができることを特徴とする。
【０００７】
前記保管スペースは、前記支持部と前記固定部材を収容可能な大きさに形成されて、前記保管スペースに、前記支持部と前記固定部材が圧迫状態で、前記固定帯を介して前記ボディ部をユーザーの身体に固定させることで、保管や携帯が可能なように構成することができる。
前記ヒップ固定部は、前記ボディ部の内部に設置され、前記結合板を前記ボディ部に取り外し可能に結合させる固定装着部をさらに含むように構成することができる。
前記固定装着部は、前記ボディ部内面に固定設置されており、前記結合板が挿入されて安着されるソケット部と、前記ソケット部から延長形成され、前記ソケット部の開放部を覆うカバーと、前記カバーと前記ソケット部にそれぞれ設置されて、前記ソケット部に挿入された前記結合板、前記ソケット部から外れないように、前記カバーを前記ソケット部に固定させる締結部材を含むように構成することができる。
【０００８】
前記脚固定部は、ゲートル形で形成されて、ふくらはぎを包み固定するバンド;と、前記バンドの一側に上下方向に設置されており、前記下部レッグが挟まれるチューブを含むように構成することができる。
前記脚固定部は、前記バンドをユーザーが着用した靴に固定させて前記バンドの動きを防止するバンド固定手段をさらに含むように構成することができる。
前記脚固定部は、前記バンドに着脱可能に結合されているバンドの固定手段が一体に設置された専用の靴をさらに含むように構成することができる。
前記ヒップ固定部は、前記ボディ部の一側に形成され、ユーザーの太ももを包み、前記ボディ部を固定させる補助固定帯をさらに含むように構成することができる。
前記第1関節は、ユーザーの膝の裏側に位置するように備えられるように構成することができる。
【０００９】
一方、本発明の椅子装置は、ヒップに固定されるように着用可能なヒップ固定部、前記のヒップ固定部との結合固定されており、ユーザーの着席を可能にする前記のヒップ固定部を地面に対して支持する支持部と、前記支持部の下部をユーザーのふくらはぎに着用させる脚固定部を含み、前記支持部は、前記のヒップ固定部に結合される結合板、前記結合板から下方に延長形成されて、ユーザーの両方の脚に結合される一対の上部レッグおよび下部レッグ、前記上部レッグに対して前記下部レッグを回動可能に支持する第1関節と、前記結合板に対して前記上部レッグが回動可能に支持する第2関節を含み、前記結合板、前記上部レッグと前記下部レッグは、前記第1関節と第2関節によって折り畳み可能に構成されるが、前記着用者の着席が可能なように所定の角度で折れている形態を維持できるように構成することができる。
【発明の効果】
【００１０】
前記したところによると、本発明の椅子装置は簡単に着用して、必要に応じて簡単に着席することができる効果がある。
また、本発明に係る椅子装置は、椅子部ズボンの内部または外部に結合させて、着用者が着用したズボンと一緒に一体的に移動することになる。この時、椅子部ズボンの内部に収容され、第1関節と第2関節によって足の動作に連動して、関節の動きをするので、着用者の歩行時に最小限の干渉を最小限に抑えることができる。
また、椅子装置は、着用者が着席を希望するときヒップ支持板が安定的に着用者のヒップを支えて、上部レッグと下部レッグが折れながら重心を形成して安定した着席が可能である。
また、椅子装置は椅子部がズボン部の内部に収容されるので、外部に椅子部が露出されていない審美感を阻害することなく、いつでもどこでも着用者の利便性に応じて着席することができる利便性を提供することができる。
また、椅子装置は一対の上部レッグと下部レッグの長さを調節することができており、着用者の身体条件に合わせて調節して使用することができる。
また、本発明の椅子装置は、支持部と脚固定部をボディ部に入れて容易に保管や携帯して通って、着席をしたい場合、いつでもどこでも簡単に支持部と脚固定部をボディ部から取り出して組み立てて、簡単に着用で着席をすることができる効果がある。
また、椅子装置はボディ部がヒップを支えていた結合板、上部レッグおよび下部レッグが所定角度下がっ重心を形成して安定したモデルが構成されてユーザーは、快適な座席の状態を感じることができ、したがって椅子装置は椅子がビーチされていない場所で、必要に応じて簡単に着用して使用できる構造として、博物館、劇場、競技場など、様々なところで便利に利用できる効果がある。
また、マート販売元、ホテル従事者、洗濯、美容師、組立生産ライン勤務者、教師、駐車場案内員、バリスタ、ジュユウォンなど長時間の立ち仕事の労働者が所持しているが、本発明の椅子装置を着用して着席しことで疲労を減らし、筋肉の疲労度を解くことができる効果がある。
【図面の簡単な説明】
【００１１】
【図１】本発明の第1の実施形態に係る椅子装置の構造を示す斜視図である。
【図２】本発明の第1の実施形態に係る椅子装置の断面構成を示す断面図である。
【図３】本発明の第1の実施形態に係る椅子装置を着用して着席した状態を図示した例示図である。
【図４】本発明の第2の実施形態に係る椅子装置の構成を示す断面図である。
【図５】本発明の第3の実施形態に係る椅子装置の構成を示す斜視図である。
【図６】本発明の第4の実施形態に係る椅子装置の構成を示す斜視図である。
【図７】図６の支持部を拡大して具体的に示した斜視図で、支持部の直線形で伸びた状態を示す図である。
【図８】図６の支持部を拡大して具体的に示した斜視図で、支持部保管状態で折り畳まれた状態を示す図である。
【図９】図６の支持部を拡大して具体的に示した斜視図で、支持部ユーザーの着席時 折れている状態を示す図である。
【図１０】図６の椅子装置で、支持部の結合板固定装着部から分離された状態を示す斜視図である。
【図１１】図１０で支持の結合板が固定装着部に結合された状態を示す斜視図である。
【図１２】図６の脚固定部伸びた状態を示す斜視図である。
【図１３】本発明の第4の実施形態に係る身体着用式の椅子装置をユーザーが着用して着席した状態を示す図である。
【図１４】本発明の第4の実施形態に係る身体着用式の椅子装置をユーザーが着用して立っている状態を示した図である。
【図１５】本発明の第4の実施形態に係る身体着用式の椅子装置の携帯時の状態を示した図である。
【図１６】本発明の第4の実施形態に係る身体着用式の椅子装置の脚固定部の他の形態を示す図である。
【発明を実施するための形態】
【００１２】
以上、本発明の目的、特徴および利点は添付された図面と関連の以下の好ましい実施例を通して容易に理解されるだろう。しかし、本発明は、ここで説明されている実施例に限定されず、他の形態で具体化することもできる。むしろ、ここで紹介されている実施例は、開示された内容が徹底して完全になるようにと、当業者に本発明の思想が十分に伝達されるようにするために提供されているものである。
【００１３】
本明細書では、いくつかの構成要素が他の構成要素上にあると言及されている場合には、他の構成要素上に直接形成されることができるか、またはそれらの間に第3の構成要素が介在されることもあるということを意味する。また、図面において、構成要素の厚さは、技術的内容の効果的な説明のために誇張されたものである。
【００１４】
本明細書で記述する実施例は、本発明の理想的な例示図である断面図および/または平面図を参照して説明する。図面において、膜及び領域の厚さは、技術的内容の効果的な説明のために誇張されたものである。したがって、製造技術および/または許容誤差などによって例示図の形態が変形することができる。したがって、本発明の実施例は、図示された特定の形態に限定されるものではなく、製造工程に応じて生成される形態の変化も含むものである。例えば、直角に図示された領域は、ラウンドたり所定の曲率を持つ型であることができる。したがって、図面で例示された領域は属性を持ち、図面で例示された領域の形状は、素子の領域の特定の形を例示するためのものであり、発明の範疇を制限するためのものではない。本明細書の様々な実施形態では、第1、第2などの用語が多様な構成要素を記述するために使用されたが、これらの構成要素が、このような用語によって限定されてはならない。これらの用語は、単にどの構成要素を他の構成要素と区別させるために使用されただけである。ここで説明されて例示されている実施例は、それの相補的な実施例も含まれている。
【００１５】
本明細書で使用される用語は、実施例を説明するためのものであり、本発明を制限するものではありません。本明細書では単数形はフレーズで特に言及しない限り、複数形も含む。明細書で使用される「含む（comprises）」および/または「含んでいる（comprising）」は、言及されたコンポーネントは1つ以上の他の構成要素の存在または追加を排除しない。
下の特定の実施例を記述する上で、いくつかの特定の的内容は、発明をより具体的に説明し、理解を助けるために作成された。しかし、本発明を理解することができるほど、この分野の知識を持っている読者は、これらのいくつかの固有の内容がなくても使用することができるということに留意することができる。いくつかのケースでは、発明を記述する際の一般的に知られながら発明と大きく関連していない部分は、本発明を説明する上で、別の理由もなく混沌が来るのを防ぐために記述しないことを事前に言及しておく。
【００１６】
以下、図１〜図３を参照して、本発明の第1の実施形態に係る椅子装置（1）について説明する。
図１は、本発明の第1の実施形態に係る椅子装置（1）の構成を示した斜視図であり、図２は、椅子装置（1）の側断面構成を示す断面図である。
図示されたように、椅子装置（1）は、着用者の腰の下部分が挿入されるズボン部（100）と、ズボン部（100）の内部に固定されるように収容され、ユーザーが着席可能なようにする椅子部（200）を含む。
【００１７】
ズボン部（100）は、着用者の腰の下部に着用される。ズボン部（100）は、着用者のヒップ（H）が収容されているヒップ挿入部（110）と、一対の脚（L）が挿入される脚挿入部（120）と、ヒップ挿入部（110）と脚挿入部（120）を横切るように結合され、内部に椅子部（200）が収容されている椅子収容部（140）を含んでいる。
【００１８】
ヒップ挿入部（110）と脚挿入部（120）は、前面と背面に一対の布の寸法に合わせ裁断した後、内部にヒップ（H）と脚（L）が挿入される空間が形成されるように縫製されている。椅子収容部（140）は、ヒップの挿入部（110）と脚挿入部（120）の内部に垂直に結合されてズボン部（100）の内部空間を椅子部（200）が挿入される空間と着用者の身体が挿入される空間に区画する。
【００１９】
椅子収容部（140）は、別の布を腰挿入部（110）と脚挿入部（120）の内壁面に縫製して形成される。椅子収容部（140）の幅は、椅子部（200）のヒップ支持板（210）の幅に対応する最小限の幅で形成されることが、椅子部（200）が着用者の動作に連動して瞬時に反応することができ、好ましい。
ここで、ズボン部（100）を形成する布伸縮性を有する素材で形成することが、着用者の着心地のために望ましい。また、伸縮性を有する素材で形成されるときに、着用者が着席したときに、下部レッグ（230）と脚（L）との間の距離の幅を広げることができ、着席の感じを向上させることができる。
【００２０】
椅子部（200）は、ズボン部（100）の内部に収容された状態で着用者と一緒に移動して、着用者の着席希望の際、着用者が場所に関係なく、着席ができるように着用者を地面に対して支持する。
【００２１】
椅子部（200）は、着用者のヒップ（H）が接触支持されるヒップ支持板（210）と、ヒップ支持板（210）から下部に延長形成される上部レッグ（220）と、上部レッグ（220）の下部に延長形成された下部レッグ（230）と、ヒップ支持板（210）と上部レッグ（220）との間に備えられる第1関節（240）と、上部レッグ（220）と下部レッグ（230）との間に備えられる第2関節（250）と、下部レッグ（230）に結合されて地面と接触すると、支持台（270）を含んでいる。
【００２２】
ヒップ支持板（210）は、着用者のヒップ（H）に対応する位置に椅子収容部（140）に収容されている。ヒップ支持板（210）は、着用者の着席時にヒップ（H）が安着される。ヒップ支持板（210）は、着席が可能な最小サイズで形成されることが着用者の歩行時の干渉を少なく与えることができ、好ましい。
このとき、ヒップ支持板（210）は、ヒップ（H）の屈曲形状を考慮して、図２に示すように緩やかな曲面形状で形成されることが好ましい。ヒップ支持板（210）は、着用者の歩行や着席時に、第1関節（240）を中心に、上部レッグ（220）との相対回転される。これにより、着用者が起立時には、図２に示すように垂直な状態を維持して、図３に示すように着席時には、水平方向に一定角度回動されることになる。
【００２３】
上部レッグ（220）と下部レッグ（230）は、ヒップ支持板（210）と地面との間に配置されて、着用者の足の動きに連動して動作される。上部レッグ（220）は、太ももに対応するように配置され、下部レッグ（230）は、ふくらはぎに対応するように配置される。上部レッグ(220)と下部レッグ（230）は、第2関節（250）を中心に互いに相対回転可能に備えられる。第2関節（250）は、着用者の膝（N）に対応する位置に形成される。
【００２４】
上部レッグ（220）は、上端部の上部関節結合部（221）が第1関節（240）によってヒップ支持板（210）に回動可能に結合されて、下端部には、第2関節（250）と結合される第1傾斜面（223）が具備される。下部レッグ（230）は、上端部の第2傾斜面（231）が第2関節（250）と結合されて、下部は地面支持台（270）と結合される。
ここで、第1傾斜面（223）と第2傾斜面（231）は、互いに一定の角度（θ）傾斜するように形成される。第1傾斜面（223）と第2傾斜面（231）は、着用者が起立した状態では、図１に示すように、互いに離隔された状態を維持して、着用者が着席するとき、図３に示すように、上部レッグ（220）と下部レッグ（230）の回転によって互いに接触することになる。
【００２５】
着用者の着席時着用者の荷重は、第1傾斜面（223）と第2傾斜面（231）の接触面に伝達され、上部レッグ（220）と下部レッグ（230）が傾斜角度によって重心が形成されて、着用者が着席した状態を維持することになる。
すなわち、図１に示すように、着用者が椅子装置（1）を着用した状態で起立する、上部レッグ（220）と下部レッグ（230）は、地面に垂直に配置される。そして、着用者が歩行する場合の椅子部（200）は、椅子収容部（140）の内部に収容された状態なので、脚（L）の動作に連動して、上部レッグ（220）と下部レッグ（230）が第1関節（240 ）と第2関節（250）を中心に折れながら動作することになる。
【００２６】
第1関節（240）と第2関節（250）は、回転軸の形で実装されている。第1関節（240）は、ヒップ支持板（210）と上部関節結合部（221）を貫通して結合されて、第2関節（250）は、上部レッグ（220）の下部と下部レッグ（230）の上部関節結合部（221）を貫通して結合される。
【００２７】
上部レッグ（220）は、第1関節（240）と第2関節（250）との間でリンクの運動をして、脚（L）の動作に応じて多様に動作することができる。また、下部レッグ（230）も脚（L）の動作と上部レッグ（220）の位置に基づいて多様に動作することができる。
【００２８】
着用者が着席する場合、図３に示すように、第1傾斜面（223）と第2傾斜面（231）が互いに接触されるように、上部レッグ（220）と下部レッグ（230）が傾く。このとき、第2関節（250）は着用者の膝の後ろを接触することになる。これ、着用者の膝の後ろを加圧して、痛みを起こすことがあるので、第2関節（250）の前面には、クッション部材（260）が備えられている。
【００２９】
クッション部材（260）は、一定の厚さを有するゴムまたはスポンジで実装することができる。これにより、着用者の歩行時と着席時に不快感を軽減することができる。
【００３０】
着席のため、着用者が脚（L）を曲げ下部レッグ（230）は、地面に対して一定角度傾ける。下部レッグ（230）は、足（F）が向かう方向の反対方向に折れるように形成される。第1傾斜面（223）と第2傾斜面（231）が接触され、着用者の荷重が第2関節（250）と地面支持（270）と足（F）に分散されるようになって、一対の地面支持（270）と一対の足（F）の四点が地面と接触され、重心を形成して着席された状態を維持することになる。
【００３１】
一方、上述した本発明の好ましい実施形態に係る椅子部（200）は、上部レッグ（220）と下部レッグ（230）の長さが固定されている。これにより、着用者の身長が異なる場合は、歩行時と着席時にバランスが合わない場合が発生することができる。
そこで、本発明の椅子部の他の形態で、上部レッグ（220）と下部レッグ（230）が、それぞれの長さが可変されるように備えてもよい。
【００３２】
一方、図４は、本発明の第2の実施形態に係る椅子装置（1a）の構成を示す側面図である。前述の好ましい第1の実施形態に係る椅子装置（1）は、椅子部（200）がズボン部（100）の内部に収容された状態で一体に配置される。一方、第2の実施形態に係る椅子装置（1a）は、椅子部（200b）がズボン部（100a）の外部に結合される。
【００３３】
椅子部（200b）の構成は同じでズボン部（100a）の背面に配置され、固定部材（310）によってズボン部（100a）に結合される。固定部材（310）は、雌雄ベルクロが形成されたバンドで実装することができる。
【００３４】
着用者は、ズボン部（100）を着用した状態で、本人の後ろに椅子部（200b）を配置して、固定部材（310）を介して本人に椅子部（200b）を固定することができる。
【００３５】
本発明の第2の実施形態に係る椅子装置（1a）は、博物館や展示室のようなところで観覧客に椅子部（200b）のみ別途レンタルして、観覧客が本人のズボンに結合して希望するところで着席することができようにすることができる。
【００３６】
一方、図５は、本発明の第3の実施形態に係る椅子装置（1b）の構成を示す斜視図である。
前述した本発明の第3の実施形態に係る椅子装置（1）は、ヒップ支持板（210）は1つの板状に実装された。一方、本発明の第3の実施形態に係る椅子装置（1b）は、ヒップの支持板（210a）が一対の支持板（211,213）に実装されている。したがって、一対の支持板（211,213）が、それぞれ両側のヒップに配置されるので、着用者の歩行時に好ましい実施例の椅子装置（1）に比べて干渉を少なくかけされて着心地を高めることができる。
このとき、一対の支持板（211,213）は、接続バー（215）に相互に接続されている。接続バー（215）は、場合に応じて長さが可変されるように実装されて着心地をより向上させることができる。
【００３７】
前記で説明したように、本発明に係る椅子装置（1,1a、1b）は、椅子部ズボンの内部または外部に結合させて、着用者が着用したズボンと一緒に一体的に移動することになる。このとき、椅子部はズボンの内部に収容され、第1関節と第2関節によって足の動作に連動して、関節の動きをするので、着用者の歩行時に干渉を最小になる。
【００３８】
また、椅子装置は、着用者が着席を希望するときヒップ支持板が安定的に着用者のヒップを支えて、上部レッグと下部レッグが折れながら重心を形成して安定したモデルが可能にする。
【００３９】
また、椅子装置は椅子部がズボン部の内部に収容されるので、外部に椅子部が露出されていない審美感を阻害することなく、いつでもどこでも着用者の利便性に応じて着席することができる利便性を提供することができる。
【００４０】
以下、図６〜図１６を参照して、本発明の第4の実施形態に係る保管や携帯が容易な身体着用式の椅子装置（10）を説明する。
図６〜図９を参照すると、本発明の椅子装置（10）は、ヒップ固定部（400）、支持（500）、脚固定部（600）を含んでいる。
【００４１】
ヒップ固定部（400）は、ボディ部（410）と固定帯（420）を含んでいる。
ボディ部（410）は、通常のバッグのように内部に保管スペースが形成され、開放部上にジッパー（416）が形成されて、ユーザーがジッパー（416）のハンドル（414）を動かして、ボディ部（410）を開いたり閉じたりできるように構成され、本実施例ではボディ部（410）は、フレキシブルな材質で構成されており、所定の長さを有する楕円形に形成されている。
【００４２】
固定帯（420）は、一対で構成されて、それぞれがボディ部（410）の両側端から延長するように形成されており、このそれぞれの固定帯（420）には、結合手段としてベルクロ部材（421,422）が設けられている。ユーザーは、一対の固定帯（420）に形成されたベルクロ部材（421,422）を互いに結合して、一対の固定帯（420）を肩ひもの形で作って図１５のようにボディ部（410）をクロスバックタイプで肩にかけたり、本発明の椅子装置（10）を介して着席時、ボディ部（410）が、ユーザーのヒップを包み込むようした後、両固定帯（420）に腰を包んで交差してベルクロ部材（421,422）を結合されることで、ボディ部（410）をユーザーのヒップに密着されるように固定着用することができる。
【００４３】
一方、本発明のヒップ固定部（400）は、ボディ部（410）に2組の補助固定帯（430）を備え、この各組の補助固定帯（430）の端には、結合手段としてのバックル部材（433）が形成される。したがって、ユーザーは、ボディ部（410）を固定帯（420）を腰に包み結合していて、さらに、補助固定帯（430）を両太ももを包み先端のバックル部材（433）を結合していることで、ボディ部（410）をユーザーのヒップにしっかりと固定させることができる。
【００４４】
また、本発明のヒップ固定部（400）は、支持部（500）の上端部がボディ部（410）に分離可能に結合されるよう固定装着部（440）を含んでいる。
【００４５】
図６及び図１０及び図１１を参照すると、固定装着部（440）は、ソケット部（442）、カバー部（444）と締結部材（445,446）を含んでいる。
【００４６】
ソケット部（442）は、ボディ部（410）の内側面に固定設置される。ソケット部（442）は、一側が開放されて、開放された部分を介して、後述する支持部（500）の結合板（530）が挿入可能である。これらのソケット部（442）は、革のような軟質の生地材質で形成されて、ボディ部（410）にミシン糸を用いて結合することができる。ただし、これに限定されるものではなく、ハードな材質で構成されてボディ部（410）に接着されて構成されることがあり、結合板（530）が挿入されて結合板（530）をボディ部（410）に結合することができる構成であればどのような形になっても構わない。
【００４７】
カバー部（444）は、ソケット部（442）の開放部から延長形成され、ソケット部（442）に結合板（530）が挿入された状態で、ソケット部（442）の開放部を覆うように構成されている。
【００４８】
締結部材（445,446）は、マジックテープ（登録商標）部材で構成されて、ソケット部（442）とカバー部（444）にそれぞれ形成されて、カバー部（444）をソケット部（442）に固定させてソケット部（442）に挿入された結合板（530）が抜けないようにする。
このとき、締結部材（445,446）は、ベルクロ部材以外にもドットボタン（チックタックボタン）、一般ボタンの2部材を分離可能に結合することができる構成であればどのような構成が適用されても構わない。
【００４９】
支持（500）は、上端部がヒップ固定部（400）のボディ部（410）に取り外し可能に結合固定されて、ユーザーの着席を可能にするボディ部（410）を地面に対して支持する。
支持部（500）は、所定の長さを有する棒状の下部レッグ（510）と、棒状の下部レッグ（510）の上部に延長形成される上部レッグ（520）と、上部レッグ（520）の上部に延長形成された結合板（530）と、前記下部レッグ（510）と上部レッグ（520）との間に備えられる第1関節（540）と、上部レッグ（520）と結合板（530）との間に備えられる第2関節（550）を含んでいる。
【００５０】
下部レッグ（510）と上部レッグ（520）は、着用時に、結合板（530）と地面との間に配置されて着用者の足の動きに連動して動作される。下部レッグ（510）は、ふくらはぎに対応するように配置され、上部レッグ（520）は、太ももに対応するように配置される。下部レッグ（510）と上部レッグ（520）は、第1関節（540）を中心に互いに相対回転可能に備えられる。第1関節（540）は、本発明の着用時、膝（N）に対応する位置に形成される（図１３及び図１４を参照）。
【００５１】
下部レッグ（510）の上端部と上部レッグ（520）の下端部は、ヒンジピン（h1）により回動自在に結合される。具体的には、下部レッグ（510）の上端部には、溝（517）が形成された回転支持部材（516）が設けられ、この溝（517）が上部レッグ（520）の下端部が挿入された状態で、ヒンジピン（h1）を通じて結合され、第1関節（540）が形成される。この時、図７に示すように、下部レッグ（510）と上部レッグ（520）が直線状に伸びた状態でA方向に回転すると、支持部（500）は、図３のように、下部レッグ（510）と上部レッグ（520）が折り畳まれた状態になって、B方向に回転されると、支持部（500）は、上部レッグ（520）が下部レッグ（510）の溝（517）の内側端にかかって、完全に折り畳まれた支持ず、図３に示すように所定角度で折れた状態を維持することになる。参考に、図９に示すように、下部レッグ（510）が上部レッグ（520）に折れた状態は、ユーザーが着席したとき支持（500）の変形された状態を示す。
【００５２】
一方、下部レッグ（510）の下部には、曲線の形で湾曲形成された曲げ部（515）が設けられ、この曲げ部（515）は、地面に接触する部分として、地面との接触面積を向上させ、支持力を向上させてくれることができる。
【００５３】
結合板（530）は、下部レッグ（510）と上部レッグ（520）よりも幅が大きい正方形板状に形成され、結合板（530）の下端部は、上部レッグ（520）の上端部とヒンジピン（h2）にによって結合され、第2関節（550）が形成される。
このとき、上部レッグ（520）の上部には、所定の角度の傾斜面（527a）を有する角度保持部（527）が形成されて、結合板（530）の一方向回転範囲を制限する。したがって、図７のように、上部レッグ（520）が結合板（530）が伸びた状態で、結合板（530）がC方向に回転されると、図９に示すように、結合板（530）は、角度保持部（527）の傾斜面（527a）に密着して結合板（530）が上部レッグ（520）と所定の角度で折れている状態を維持することになり、これ以上回動されなくなる。参考に、図９に示すように結合板（530）が上部レッグ（520）に折れている状態は、ユーザーが着席したとき支持（500）の変形された状態を示す。
【００５４】
一方、本発明は、支持（500）は、図８のように折り畳まれた状態である場合には、サイズがボディ部（410）内の保管スペースのサイズよりも小さくなって、ボディ部（410）のジッパー（416）が形成された開口部を通じて支持（500）をボディ部（410）の内部に入れることができる。
【００５５】
図６及び図１２を参照すると、脚固定部（600）は、支持部（500）の下部レッグ（510）をユーザーのふくらはぎ（L1、図８を参照）に固定させるためのものであって、バンド（601）とチューブ（605）で構成されている。バンド（601）は、ゲートルのように、両端にベルクロ部材（606,607）が形成された軟質の正方形生地材質で形成されて、バンド（610）にふくらはぎを包み込んでベルクロ部材（606,607）を結合していることで、バンド（610）をふくらはぎに結合することができる。
【００５６】
チューブ（605）は、バンド（601）に上下の長さ方向に沿って形成され、図８のように、着用時にチューブ（605）に下部レッグ（510）が入れられるようになる。
以下、図面を参照して、本発明の第4の実施形態に係る保管や携帯が容易な身体着用式の椅子装置（10）の使用例について説明する。
【００５７】
まず、ユーザーは、ボディ部（500）に図３のように折り畳まれた状態の支持（500）と脚固定部（600）を入れてジッパー（416）を締結した後、固定帯（420）の先端をベルクロ（421,422）で互いに結合して、図１５に示すように、ヒップ固定部（400）をクロスバックの形で担いで、容易に保管や携帯して、必要な場所に運搬することができる。
【００５８】
以降、ユーザーが座席を必要に応じて、ボディ部（410）から支持部（500）と脚固定部（600）を取り出し、袋部（400）、支持部（500）と脚固定部（600）を組み立てた後、身に着けている。具体的には、ユーザーは、一対の固定装着部（440）に一対の結合板（530）をそれぞれ結合して、脚固定部（600）のチューブ（605）に下部レッグ（510）を挟んで組み立てる。
【００５９】
このように椅子装置（10）が組み立てられた状態で、ボディ部（410）をヒップを包み込むように配置した後、一対の固定帯（420）を腰に包み、ベルクロ（421,422）を締結して固定して、補助固定帯（430）を太ももに包まバックル部材（433）を締結することで、ボディ部（410）をヒップに固定させ、次に、一対のバンド（601）のそれぞれをふくらはぎに包まベルクロ部材（606,607）を締結し、バンド（601）をふくらはぎに固定させることによって、図１４に示すように、着用が完了する。
【００６０】
このように椅子装置（10）を着用した完了状態で、ユーザーが歩行する場合、支持部（500）の下部レッグ（510）、上部レッグ（520）、および結合板（530）が第1関節（540）が第2関節（550）によって足の動作に連動して関節の動きなので、ユーザーの歩行を干渉せずに自然な歩行をすることができる。前記でユーザーの歩行に伴う支持部（500）の関節運動時、下部レッグ（510）は、チューブ（605）に案内されて上下に動くようになり、より自然な歩行が行われることができるようになる。
【００６１】
一方、ユーザーが着席するために、ユーザーが足を曲げ、図１３のように、ボディ部（410）がヒップを支えながら、支持部（500）が、ユーザーの荷重を支持して、図９及び図１３のように折れている状態を維持しながら、重心を形成することにより、安定したモデルが可能になる。
具体的には、ユーザーの着席時、図１３のように、下部レッグ（510）は、地面に対して一定角度傾けられ、下部レッグ（510）と上部レッグ（520）との間の第1関節（540）と上部レッグ（520）と結合板（530）との間の第2関節（550）は、図９及び図１３に示すようユーザーの荷重によっても所定の角度で折れている状態を保ったままで、ユーザーの負荷が第1関節（540）と第2関節（550）と、地面に接触されるユーザーの足と下部レッグ（510）の下部に分散されるようになって、一対の下部レッグ（510）の下部とのペアの足の四点が地面と接触され、重心を形成して着席された状態を維持することになる。
【００６２】
前記した第4の実施例では、結合板（530）をボディ部（410）に取り外し可能に装着するための固定装着（440）がソケット部（442）とカバー（444）からなる構成であったが、これに限定されるものでなく、結合板（530）をボディ部（410）に着脱可能に結合することができる構成であり、他の構成が適用されても構わない。
併せて、本発明の支持（520）から第1関節（540）と第2関節（550）が示されているような形で構成されることがあるが、これに限定されるものではなく、一方向に回転したときに、2部材が完全この折り畳まれて、他の方向に回転された場合には、荷重によっても所定の角度で折れている状態を持つことができていれば、どのような構成になっても構わない。つまり、第1実施例の関節の形態が適用されることもある。
【００６３】
図１６を参照すると、本発明で脚固定部（600）は、ユーザーのふくらはぎに着用されたバンド（601）が左右に戻らないように、バンド（601）の動きを防止するバンド固定手段（609）をさらに含むことができる。
【００６４】
バンド固定手段（609）は、所定の長さの紐状に形成されており、チックタックボタンやベルクロなどの締結手段（609a）を介してバンド固定手段（609）の両端がバンド（601）の下部に固定されるように構成して、バンド（601）は、ユーザーのふくらはぎに着けた状態で、バンド固定手段（609）の一端をバンド（601）の下部一側に固定して、ユーザーが着用した靴（611）の底部を包み、他端をバンド（601）の下部他側に固定させることによって、バンド（601）が動くことを防止することができる。
【００６５】
一方、前記した第4の実施例では、バンド固定手段（609）が靴を包んバンド（601）の動きを防止する構成であったが、これに限定されるものではなく、一対のバンド固定手段がそれぞれの靴の両側面に一体で固定設置された椅子装置専用の靴を構成して、ユーザーがこの専用の靴を履いて、一対のバンド固定手段の各先端をふくらはぎに着用されたバンド（601）の両側にベルクロやチックタックボタンと同じ締結手段で結合してことで、バンド（601）が動くことを防止することができる。説明されていない符号535は、結合板（530）の材料を削減するために溝を形成したダイエット部（535）を示す。
【００６６】
一方、前記した第4の実施形態の本発明は、支持部（500）の結合板（530）と結合されてヒップに付着するように着用されている部分がバッグの機能を有するヒップ固定部（400）で構成されているもので説明したが、これに限定されているわけではなく、支持部（500）の結合板（530）と結合されて、結合板（530）をヒップに固定されるように着用することができている場合、通常のベルクロバンドなど他の構成でされたヒップ固定部で構成することができる。
【００６７】
また、脚固定部（600）は、ゲートル形で構成されているもので説明したが、これに限定されるものではなく、ユーザーのふくらはぎに固定されるように着けていることができればどのような構成でも構わないし、このとき、脚固定部（600）は、下部レッグ（510）が挟まれて、ユーザーの関節運動について上下に動かすことができるチューブ（605）のような構成が備えられることが望ましい。
【００６８】
以上、本発明を、本発明の原理を例示するための好ましい実施例に関連して図示してまた説明したが、本発明は、そのような図示されて説明された通りの構成および作用に限定されるものではない。むしろ、添付された特許請求の範囲の思想及びカテゴリを逸脱することなく、本発明の多数の変更および修正可能であることを当業者は理解できるだろう。したがって、そのようなすべての適切な変更および修正と均等物も、本発明の範囲に属するものとみなされるべきである。
【産業上の利用可能性】
【００６９】
本発明は、椅子関連産業に利用することができる。
【図１】
2016525386.tif 000003
【図２】
2016525386.tif 000004
【図３】
2016525386.tif 000005
【図４】
2016525386.tif 000006
【図５】
2016525386.tif 000007
【図６】
2016525386.tif 000008
【図７】
2016525386.tif 000009
【図８】
2016525386.tif 000010
【図９】
2016525386.tif 000011
【図１０】
2016525386.tif 000012
【図１１】
2016525386.tif 000013
【図１２】
2016525386.tif 000014
【図１３】
2016525386.tif 000015
【図１４】
2016525386.tif 000016
【図１５】
2016525386.tif 000017
【図１６】
2016525386.tif 000018
【国際調査報告】
2016525386.tif 000019
2016525386.tif 000020
2016525386.tif 000021
2016525386.tif 000022